(57)【要約】【課題】容易に製造することができる鋼管杭を提供すること。【解決手段】  掘削羽根３において、掘削部１１は、上折り曲げ部１２および下折り曲げ部１３を備えている。上折り曲げ部１２は、基部１０の外周面から上方に向かって屈曲するように形成されている。上折り曲げ部１２の上下方向の長さは、周方向における一方側端部が長く、他方側端部に向かうにつれて短くなっている。下折り曲げ部１３は、基部１０の外周面から下方に向かって屈曲するように形成されている。下折り曲げ部１３の上下方向の長さは、周方向における一方側端部が長く、他方側端部に向かうにつれて短くなっている。【選択図】図２
2015063883.tif 000002
【特許請求の範囲】
【請求項１】
略筒形状を有する杭本体と、
前記杭本体に取り付けられる掘削羽根と、を備え、
前記掘削羽根は、
前記杭本体の軸線方向の一方側端部に取り付けられ、前記軸線方向と直交する平面上に拡がる基部と、
前記基部と連続する掘削部とを備え、
前記掘削部は、
前記杭本体の径方向における前記基部の外方側端縁から前記軸線方向に沿って屈曲するように形成された折り曲げ部と、
前記軸線方向から見た状態において、前記折り曲げ部から前記径方向の外方側に延びる羽根部とを備え、
前記羽根部は、前記軸線方向および前記径方向の両方と交差する方向に延びており、
前記折り曲げ部の前記軸線方向の長さは、前記杭本体の周方向における一方側端部が長く、前記一方側端部から他方側端部に向かうにつれて短くなることを特徴とする、鋼管杭。
【請求項２】
前記折り曲げ部は、
前記周方向において、前記羽根部の一端から中央の部分に連続し、前記軸線方向において、前記基部に対して一方側に折り曲げられる第１折り曲げ部と、
前記周方向において、前記羽根部の他端から中央の部分に連続し、前記軸線方向において、前記基部に対して他方側に折り曲げられる第２折り曲げ部とを備え、
前記第１折り曲げ部の前記軸線方向の一方側端縁は、前記周方向における前記羽根部の一端から中央に向かうにつれて前記基部に近接し、
前記第２折り曲げ部の前記軸線方向の他方側端縁は、前記周方向における前記羽根部の他端から中央に向かうにつれて前記基部に近接することを特徴とする、請求項１に記載の鋼管杭。
【請求項３】
前記掘削羽根は、前記掘削部を２つ備え、
前記羽根部のそれぞれは、前記軸線方向から見た状態において、略半円環形状を有しており、
一方の前記羽根部は、前記基部の外方側端縁の前記周方向における一方側に位置し、
他方の前記羽根部は、前記基部の外方側端縁の前記周方向における他方側に位置し、かつ、一方の羽根部が位置する平面と交差する平面上に位置することを特徴とする、請求項２に記載の鋼管杭。
【請求項４】
略筒形状を有する杭本体と、
前記杭本体に取り付けられる掘削羽根と、を備え、
前記掘削羽根は、
前記杭本体の軸線方向の一方側端部に取り付けられ、前記軸線方向と直交する平面上に拡がる基部と、
前記基部と連続する掘削部とを備え、
前記掘削部は、
前記杭本体の径方向における前記基部の外方側端縁から、前記軸線方向において前記基部から離間するに従って前記径方向の外方側に延びる傾斜部と、
前記傾斜部の前記径方向の外方側端縁から前記径方向の外方側に延びる羽根部とを備え、
前記羽根部は、前記軸線方向および前記径方向の両方と交差する方向に延びており、
前記基部を含む前記平面と前記傾斜部とのなす角度は、前記杭本体の周方向における前記傾斜部の一方側端部において最も大きく、前記周方向において前記傾斜部の一方側端部から離間するに従って小さくなることを特徴とする、鋼管杭。
【請求項５】
前記傾斜部は、
前記周方向において、前記羽根部の一端から中央の部分に連続し、前記軸線方向において、前記基部に対して一方側に配置される第１傾斜部と、
前記周方向において、前記羽根部の他端から中央の部分に連続し、前記軸線方向において、前記基部に対して他方側に配置される第２傾斜部とを備え、
前記第１傾斜部の前記径方向の外方側端縁は、前記周方向における前記羽根部の一端から中央に向かうにつれて、前記軸線方向において他方側に向かい、
前記第２傾斜部の前記径方向の外方側端縁は、前記周方向における前記羽根部の他端から中央に向かうにつれて、前記軸線方向において一方側に向かうことを特徴とする、請求項４に記載の鋼管杭。
【請求項６】
前記掘削羽根は、前記掘削部を２つ備え、
前記羽根部のそれぞれは、前記軸線方向から見た状態において、略半円環形状を有しており、
一方の前記羽根部は、前記基部の外方側端縁の前記周方向における一方側に位置し、
他方の前記羽根部は、前記基部の外方側端縁の前記周方向における他方側に位置し、かつ、一方の羽根部が位置する平面と交差する平面上に位置することを特徴とする、請求項５に記載の鋼管杭。
【発明の詳細な説明】
【技術分野】
【０００１】
本発明は、建造物の基礎等に用いられる鋼管杭に関する。
【背景技術】
【０００２】
従来、建造物の基礎として、略筒状の鋼管と、鋼管に取り付けられる掘削用の翼とを備える鋼管杭が知られている。このような鋼管杭は、回転されることで掘削用の翼により地中に埋設され、地中の所定深さまで埋設された後、建造物の基礎として用いられる。
【０００３】
このような鋼管杭として、筒状の杭本体の先端側に掘削体を備える鋼管杭が知られている。この鋼管杭においては、掘削体は、杭本体の先端面に当接する当接部と、当接部に連なり、かつ、当接部から杭本体の径方向外方に延びる掘削翼部とを備えている。掘削翼部は、その一部を杭本体の軸心方向に曲折させた曲折部を備えている（例えば、特許文献１参照）。
【先行技術文献】
【特許文献】
【０００４】
【特許文献１】特開２００５−１２６９２６号公報
【発明の概要】
【発明が解決しようとする課題】
【０００５】
しかるに、上記特許文献１に記載の鋼管杭では、掘削翼部に曲折部を設けるために、掘削翼部において、外周縁から求心方向に沿って延びる第１切欠き部と、第１切欠き部に連なり、かつ、円周方向に沿って延びる第２切欠き部とを設ける必要がある。また、掘削体を杭本体に取り付ける際は、当接部を杭本体に対して溶接するとともに、曲折部を杭本体に対して溶接する必要があり、杭本体に対する掘削体の取付作業が煩雑であるという不具合がある。
【０００６】
そこで、本発明の目的は、容易に製造することができる鋼管杭を提供することにある。
【課題を解決するための手段】
【０００７】
（１）上記目的を達成するために、本発明の鋼管杭は、略筒形状を有する杭本体と、杭本体に取り付けられる掘削羽根と、を備える。掘削羽根は、杭本体の軸線方向の一方側端部に取り付けられ、軸線方向と直交する平面上に拡がる基部と、基部と連続する掘削部とを備える。掘削部は、杭本体の径方向における基部の外方側端縁から軸線方向に沿って屈曲するように形成された折り曲げ部と、軸線方向から見た状態において、折り曲げ部から径方向の外方側に延びる羽根部とを備える。羽根部は、軸線方向および径方向の両方と交差する方向に延びている。折り曲げ部の軸線方向の長さは、杭本体の周方向における一方側端部が長く、一方側端部から他方側端部に向かうにつれて短くなる。
【０００８】
このような構成によれば、掘削羽根は、基部を備えている。
【０００９】
そのため、杭本体に対して基部を取り付けるのみで、杭本体に対して掘削羽根を容易に取り付けることができる。
【００１０】
その結果、容易に鋼管杭を製造することができる。
【００１１】
また、羽根部は、軸線方向および径方向の両方と交差する方向に延びている。
【００１２】
そのため、基部を杭本体に取り付けるのみで、羽根部を杭本体に対して傾斜させた状態を容易に保つことができる。
【００１３】
その結果、掘削羽根により効率的に地面を掘削できる。
【００１４】
また、折り曲げ部は、一方側端部から他方側端部に向かうにつれて軸線方向の長さが短くなるように形成されている。
【００１５】
そのため、掘削羽根をプレス加工により容易に製造することができる。
（２）また、折り曲げ部は、周方向において、羽根部の一端から中央の部分に連続し、軸線方向において、基部に対して一方側に折り曲げられる第１折り曲げ部と、周方向において、羽根部の他端から中央の部分に連続し、軸線方向において、基部に対して他方側に折り曲げられる第２折り曲げ部とを備える。第１折り曲げ部の軸線方向の一方側端縁は、周方向における羽根部の一端から中央に向かうにつれて基部に近接する。第２折り曲げ部の軸線方向の他方側端縁は、周方向における羽根部の他端から中央に向かうにつれて基部に近接する。
【００１６】
このような構成によれば、第１折り曲げ部と第２折り曲げ部とが、羽根部の一端から他端にわたって形成され、第１折り曲げ部が、基部に対して軸線方向の一方側に折り曲げられ、第２折り曲げ部が、他方側に折り曲げられる。
【００１７】
そのため、羽根部が杭本体に対して傾斜する状態を安定的に保つことができる。
【００１８】
また、第１折り曲げ部は、羽根部の一端から中央に向かうにつれて基部に近接し、第２折り曲げ部は、羽根部の他端から中央に向かうにつれて基部に近接している。
【００１９】
そのため、掘削羽根をプレス加工により容易に製造することができる。
（３）また、掘削羽根は、掘削部を２つ備える。羽根部のそれぞれは、軸線方向から見た状態において、略半円環形状を有している。一方の羽根部は、基部の外方側端縁の周方向における一方側に位置する。他方の羽根部は、基部の外方側端縁の周方向における他方側に位置し、かつ、一方の羽根部が位置する平面と交差する平面上に位置する。
【００２０】
このような構成によれば、鋼管杭は、略半円環形状の羽根部を２つ備え、羽根部の一方は、基部の外周縁の一方側に位置し、羽根部の他方は、基部の外周縁の他方側に位置する。
【００２１】
そのため、鋼管杭により地面を掘削する際に、２つの羽根部により効率良く掘削できる。
【００２２】
また、羽根部の一方が位置する平面が、羽根部の他方が位置する平面と交差する。
【００２３】
その結果、地面を掘削する際に、羽根部により一層効率良く掘削できる。
（４）また、本発明の鋼管杭は、略筒形状を有する杭本体と、杭本体に取り付けられる掘削羽根と、を備える。掘削羽根は、杭本体の軸線方向の一方側端部に取り付けられ、軸線方向と直交する平面上に拡がる基部と、基部と連続する掘削部とを備える。掘削部は、杭本体の径方向における基部の外方側端縁から、軸線方向において基部から離間するに従って径方向の外方側に延びる傾斜部と、傾斜部の径方向の外方側端縁から径方向の外方側に延びる羽根部とを備える。羽根部は、軸線方向および径方向の両方と交差する方向に延びている。基部を含む平面と傾斜部とのなす角度は、杭本体の周方向における傾斜部の一方側端部において最も大きく、周方向において傾斜部の一方側端部から離間するに従って小さくなる。
【００２４】
このような構成によれば、掘削羽根は、基部を備えている。
【００２５】
そのため、杭本体に対して基部を取り付けるのみで、杭本体に対して掘削羽根を容易に取り付けることができる。
【００２６】
その結果、容易に鋼管杭を製造することができる。
【００２７】
また、羽根部は、軸線方向および径方向の両方と交差する方向に延びている。
【００２８】
そのため、基部を杭本体に取り付けるのみで、羽根部を杭本体に対して傾斜させた状態を容易に保つことができる。
【００２９】
その結果、掘削羽根により効率的に地面を掘削できる。
【００３０】
また、基部を含む平面と傾斜部とのなす角度は、周方向において傾斜部の一方側端部から離間するに従って小さくなるように形成されている。
【００３１】
そのため、掘削羽根をプレス加工により容易に製造することができる。
（５）また、傾斜部は、周方向において、羽根部の一端から中央の部分に連続し、軸線方向において、基部に対して一方側に配置される第１傾斜部と、周方向において、羽根部の他端から中央の部分に連続し、軸線方向において、基部に対して他方側に配置される第２傾斜部とを備える。第１傾斜部の径方向の外方側端縁は、周方向における羽根部の一端から中央に向かうにつれて、軸線方向において他方側に向かう。第２傾斜部の径方向の外方側端縁は、周方向における羽根部の他端から中央に向かうにつれて、軸線方向において一方側に向かう。
【００３２】
このような構成によれば、第１傾斜部と第２傾斜部とが、羽根部の一端から他端にわたって形成され、第１傾斜部が、基部に対して軸線方向の一方側に配置され、第２傾斜部が、他方側に配置される。
【００３３】
そのため、羽根部が杭本体に対して傾斜する状態を安定的に保つことができる。
【００３４】
また、第１傾斜部は、その径方向の外方側端縁が周方向における羽根部の一端から中央に向かうにつれて軸線方向において他方側に向かうように形成され、第２傾斜部は、その径方向の外方側端縁が周方向における羽根部の他端から中央に向かうにつれて軸線方向において一方側に向かうように形成される。
【００３５】
そのため、掘削羽根をプレス加工により容易に製造することができる。
（６）また、掘削羽根は、掘削部を２つ備える。羽根部のそれぞれは、軸線方向から見た状態において、略半円環形状を有している。一方の羽根部は、基部の外方側端縁の周方向における一方側に位置する。他方の羽根部は、基部の外方側端縁の周方向における他方側に位置し、かつ、一方の羽根部が位置する平面と交差する平面上に位置する。
【００３６】
このような構成によれば、鋼管杭は、略半円環形状の羽根部を２つ備え、羽根部の一方は、基部の外周縁の一方側に位置し、羽根部の他方は、基部の外周縁の他方側に位置する。
【００３７】
そのため、鋼管杭により地面を掘削する際に、２つの羽根部により効率良く掘削できる。
【００３８】
また、羽根部の一方が位置する平面が、羽根部の他方が位置する平面と交差する。
【００３９】
その結果、地面を掘削する際に、羽根部により一層効率良く掘削できる。
【発明の効果】
【００４０】
本発明の鋼管杭では、容易に製造することができる鋼管杭を提供できる。
【図面の簡単な説明】
【００４１】
【図１】図１は、本発明の鋼管杭の一実施形態を示す斜視図である。
【図２】図２は、図１に示す鋼管杭を右方から見た状態を示す側面図である。
【図３】図３は、図１に示す鋼管杭を前方から見た状態を示す側面図である。
【図４】図４は、図１に示す鋼管杭の平面図である。
【図５】図５は、図１に示す掘削羽根のプレス加工前の状態を示す平面図である。
【図６】図６は、図１に示す掘削羽根のプレス加工後の状態を示す平面図である。
【図７】図７は、図１に示す鋼管杭を製造する過程を示す断面図である。
【図８】図８は、本発明の鋼管杭の第２実施形態を右方から見た状態を示す側面図である。
【図９】図９は、図８に示す掘削羽根の平面図である。
【図１０】図１０は、図８に示す掘削羽根の側断面図である。
【図１１】図１１は、図８に示す掘削羽根のプレス加工前の状態を示す平面図である。
【発明を実施するための形態】
【００４２】
１．鋼管杭の全体構成
図１に示すように、鋼管杭１は、杭本体２と、杭本体２に取り付けられる掘削羽根３と、掘削羽根３に取り付けられる先端部材４とを備えている。
【００４３】
なお、以下の説明において、鋼管杭１の方向に言及するときには、鋼管杭１を地中に埋設させる状態を上下の基準とする。すなわち、図１の紙面上方が上方であり、紙面下方が下方である。また、図１の紙面左上方手前が前方であり、紙面右下方奥が後方である。また、鋼管杭１を前方から見たときを左右の基準とする。すなわち、紙面左方が左方であり、紙面右方が右方である。
（１）杭本体
杭本体２は、上下方向に延びており、金属製からなる略円筒形状を有している。すなわち、杭本体２は、その軸線方向が上下方向に沿って延びている。
（２）掘削羽根
図２、図３および図４に示すように、掘削羽根３は、杭本体２および先端部材４とは別部材であり、基部１０と、１対の掘削部１１とを一体的に備えている。
（２−１）基部
基部１０は、杭本体２の下端部に取り付けられている。基部１０は、金属製からなる一定の厚みを有する杭本体２の外径より大径の略円板形状であって、水平面上に拡がっている。基部１０は、その上面が杭本体２の下端縁に密接するように取り付けられており、その中心線は杭本体２の軸線と略一致している。
（２−２）掘削部
１対の掘削部１１の一方は、基部１０の左方の周方向略１８０度部分に連続しており、１対の掘削部１１の他方は、基部１０の右方の周方向略１８０度部分に連続している。
【００４４】
なお、以下の説明において、左方の掘削部１１について言及するときは、左方の掘削部１１を左掘削部１１Ｌとし、右方の掘削部１１について言及するときは、右方の掘削部１１を右掘削部１１Ｒとする。
【００４５】
各掘削部１１は、金属製からなり、第２折り曲げ部の一例としての上折り曲げ部１２と、第１折り曲げ部の一例としての下折り曲げ部１３と、羽根部１４とを備えている。
（２−２−１）上折り曲げ部
上折り曲げ部１２は、上方から見た状態において、基部１０の外周面の約４分の１の領域に連続している。換言すれば、上折り曲げ部１２は、杭本体２の径方向における基部１０の外方側端縁の約４分の１の領域に連続している。また、詳しくは、左掘削部１１Ｌの上折り曲げ部１２は、基部１０の外周面であって、左端から周方向において後方略９０度部分に連続し、右掘削部１１Ｒの上折り曲げ部１２は、基部１０の外周面であって、右端から周方向において前方略９０度部分に連続している。
【００４６】
上折り曲げ部１２は、基部１０の厚みと同じ厚みを有しており、基部１０の外周面、換言すれば、基部１０の径方向の外方側端縁から上方に向かって屈曲するように形成されている。上折り曲げ部１２は、基部１０の周方向における位置によって上下方向の長さが異なるように形成されている。詳しくは、左掘削部１１Ｌの上折り曲げ部１２は、その上下方向の長さが、基部１０の後端部において長く、周方向に沿って中央（左側）に向かうにつれて短くなっており、右掘削部１１Ｒの上折り曲げ部１２は、その上下方向の長さが、基部１０の前端部において長く、周方向に沿って中央（右側）に向かうにつれて短くなっている。すなわち、上折り曲げ部１２の上下方向の長さは、周方向における一方側端部が長く、一方側端部から他方側端部に向かうにつれて短くなっている。上折り曲げ部１２は、杭本体２の外周面と対向している。
【００４７】
左掘削部１１Ｌの上折り曲げ部１２と右掘削部１１Ｒの上折り曲げ部１２とは、上方から見た状態において、杭本体２を挟んで反対側に位置しており、杭本体２の径方向において対向している。
（２−２−２）下折り曲げ部
下折り曲げ部１３は、下方から見た状態において、基部１０の外周面の約４分の１の領域に連続している。換言すれば、下折り曲げ部１３は、杭本体２の径方向における基部１０の外方側端縁の約４分の１の領域に連続している。また、詳しくは、左掘削部１１Ｌの下折り曲げ部１３は、基部１０の外周面であって、左端から周方向において前方略９０度部分に連続し、右掘削部１１Ｒの下折り曲げ部１３は、基部１０の外周面であって、右端から周方向において後方略９０度部分に連続している。
【００４８】
下折り曲げ部１３は、基部１０の厚みと同じ厚みを有しており、基部１０の外周面、換言すれば、基部１０の径方向の外方側端縁から下方に向かって屈曲するように形成されている。下折り曲げ部１３は、基部１０の周方向における位置によって上下方向の長さが異なるように形成されている。詳しくは、左掘削部１１Ｌの下折り曲げ部１３は、その上下方向の長さが、基部１０の前端部において長く、周方向に沿って中央（左側）に向かうにつれて短くなっており、右掘削部１１Ｒの下折り曲げ部１３は、その上下方向の長さが、基部１０の後端部において長く、周方向に沿って中央（右側）に向かうにつれて短くなっている。すなわち、下折り曲げ部１３の上下方向の長さは、周方向における一方側端部が長く、一方側端部から他方側端部に向かうにつれて短くなっている。下折り曲げ部１３は、杭本体２の外周面と対向している。
【００４９】
左掘削部１１Ｌの下折り曲げ部１３と右掘削部１１Ｒの下折り曲げ部１３とは、上方から見た状態において、杭本体２を挟んで反対側に位置しており、杭本体２の径方向において対向している。
（２−２−３）羽根部
図２、図３および図４に示すように、羽根部１４は、上折り曲げ部１２の上端から下折り曲げ部１３の下端に連続しており、杭本体２の径方向外方側に延びている。羽根部１４は、上折り曲げ部１２および下折り曲げ部１３の厚みと同じ厚みを有しており、上方から見た状態において、略半円環形状を有している。杭本体２の径方向における羽根部１４の長さは、基部１０の直径とほぼ同じ長さを有している。
【００５０】
左掘削部１１Ｌの羽根部１４は、基部１０の左方に位置している。すなわち、左掘削部１１Ｌの羽根部１４は、基部１０の外方側端縁の一方側に位置している。左掘削部１１Ｌの羽根部１４は、杭本体２の周方向に沿って平面視時計まわりに向かうにつれて、下方から上方に向かうように傾斜している。右掘削部１１Ｒの羽根部１４は、基部１０の右方に位置している。すなわち、右掘削部１１Ｒの羽根部１４は、基部１０の外方側端縁の他方側に位置している。右掘削部１１Ｒの羽根部１４は、杭本体２の周方向に沿って平面視時計回りに向かうにつれて、下方から上方に向かうように傾斜している。すなわち、左掘削部１１Ｌの羽根部１４と右掘削部１１Ｒの羽根部１４とは、杭本体２の軸線方向および径方向の両方と交差する方向に延びており、左掘削部１１Ｌの羽根部１４が位置する平面と、右掘削部１１Ｒの羽根部１４の位置する平面とは交差している。
【００５１】
左掘削部１１Ｌの羽根部１４の内周面であって、左端から周方向において前方略９０度部分には、下折り曲げ部１３が連続している。すなわち、杭本体２の周方向において、左掘削部１１Ｌの羽根部１４の一端から中央の部分に、下折り曲げ部１３が連続している。また、左掘削部１１Ｌの羽根部１４と連続する下折り曲げ部１３の下端縁は、平面視時計回りに向かうにつれて基部１０に近接している。すなわち、左掘削部１１Ｌの羽根部１４と連続する下折り曲げ部１３の下端縁は、杭本体２の周方向における羽根部１４の一端から中央に向かうにつれて基部１０に近接している。
【００５２】
左掘削部１１Ｌの羽根部１４の内周面であって、左端から周方向において後方略９０度部分には、上折り曲げ部１２が連続している。すなわち、杭本体２の周方向において、左掘削部１１Ｌの羽根部１４の他端から中央の部分に、上折り曲げ部１２が連続している。また、左掘削部１１Ｌの羽根部１４と連続する上折り曲げ部１２の上端縁は、平面視反時計回りに向かうにつれて基部１０に近接している。すなわち、左掘削部１１Ｌの羽根部１４と連続する上折り曲げ部１２の上端縁は、杭本体２の周方向における羽根部１４の他端から中央に向かうにつれて基部１０に近接している。
【００５３】
右掘削部１１Ｒの羽根部１４の内周面であって、右端から周方向において前方略９０度部分には、上折り曲げ部１２が連続している。すなわち、杭本体２の周方向において、右掘削部１１Ｒの羽根部１４の他端から中央の部分に、上折り曲げ部１２が連続している。また、右掘削部１１Ｒの羽根部１４と連続する上折り曲げ部１２の上端縁は、平面視反時計回りに向かうにつれて基部１０に近接している。すなわち、右掘削部１１Ｒの羽根部１４と連続する上折り曲げ部１２の上端縁は、杭本体２の周方向における羽根部１４の他端から中央に向かうにつれて基部１０に近接している。
【００５４】
右掘削部１１Ｒの羽根部１４の内周面であって、右端から周方向において後方略９０度部分には、下折り曲げ部１３が連続している。すなわち、杭本体２の周方向において、右掘削部１１Ｒの羽根部１４の一端から中央の部分に、下折り曲げ部１３上が連続している。また、右掘削部１１Ｒの羽根部１４と連続する下折り曲げ部１３の下端縁は、平面視時計回りに向かうにつれて基部１０に近接している。すなわち、左掘削部１１Ｌの羽根部１４と連続する下折り曲げ部１３の下端縁は、杭本体２の周方向における羽根部１４の一端から中央に向かうにつれて基部１０に近接している。
（３）先端部材
図１、図２および図３に示すように、先端部材４は、掘削羽根３の基部１０の下端面に径方向に沿って取り付けられている。先端部材４は、金属製からなり、一定の厚みを有する側面視略三角板形状であって、上方から下方に向かうにつれて先細る形状を有している。
２．掘削羽根の製造
以下では、図５、図６および図７を参照して、掘削羽根３の製造方法について説明する。
【００５５】
掘削羽根３を製造する際は、図５に示すように、ベース板２０を鋼板の打ち抜きなどにより準備する。
【００５６】
ベース板２０は、金属製からなる一定の厚みを有する平面視略楕円形状であって、長軸が前後方向に沿い、短軸が左右方向に沿う平面視楕円形状を有している。すなわち、図５において仮想線で示すように、平面視においてベース板２０の外縁は、ベース板２０と軸心を同一とし、ベース板２０の短軸（左右方向の径）を直径とする円Ｃ１の外縁よりも大きい。前後方向においてベース板２０の外縁の前端と後端とを結ぶ線は、ベース板２０の左右方向の端縁から中心に向かうにつれて、前後方向において円Ｃ１の前端と後端とを結ぶ線よりも長くなっている。
【００５７】
また、ベース板２０には、前切り込み２１および後切り込み２２が形成されている。
【００５８】
前切り込み２１は、ベース板２０の前端から、ベース板２０の長軸（前後方向の径）に沿って中心までの途中部に向かって延びる切り込みである。前切り込み２１の長さは、ベース板２０の前後方向の直径の約３分の１の長さである。
【００５９】
後切り込み２２は、ベース板２０の後端から、ベース板２０の長軸（前後方向の径）に沿って中心までの途中部に向かって延びる切り込みである。後切り込み２２の長さは、ベース板２０の前後方向の直径の約３分の１の長さである。
【００６０】
図５において仮想線で示すように、前切り込み２１の後端と後切り込み２２の前端との間を直径とする円Ｃ２が、後述するように基部１０の外縁と一致する部分である。
【００６１】
ベース板２０において、円Ｃ１と円Ｃ２との間に位置し、これらの円と中心を同一にする楕円を楕円Ｅとする。楕円Ｅは、長軸が前後方向に沿っており、短軸が左右方向に沿っている。具体的には、楕円Ｅの短軸の長さは、円Ｃ２の直径と同一である。また、楕円Ｅの長軸の長さは、円Ｃ２の直径よりも長く、円Ｃ１の直径よりも短い。楕円Ｅの前端は、前切り込み２１の後端部と重なり、楕円Ｅの後端は、後切り込み２２の前端部と重なる。楕円Ｅと円Ｃ２との間には複数の領域が形成される。
【００６２】
すなわち、円Ｃ２の一部であって、左端から前端までの部分と、楕円Ｅの一部であって、左端から前端までの部分と、前切り込み２１の後端部とによって囲まれる領域を第１領域３１とする。
【００６３】
第１領域３１が、後述するように左掘削部１１Ｌの下折り曲げ部１３となる部分である。
【００６４】
また、円Ｃ２の一部であって、左端から後端までの部分と、楕円Ｅの一部であって、左端から後端までの部分と、後切り込み２２の前端部とによって囲まれる領域を第２領域３２とする。
【００６５】
第２領域３２が、後述するように左掘削部１１Ｌの上折り曲げ部１２となる部分である。
【００６６】
また、円Ｃ２の一部であって、右端から前端までの部分と、楕円Ｅの一部であって、右端から前端までの部分と、前切り込み２１の後端部とによって囲まれる領域を第３領域３３とする。
【００６７】
第３領域３３が、後述するように右掘削部１１Ｒの上折り曲げ部１２となる部分である。
【００６８】
また、円Ｃ２の一部であって、右端から後端までの部分と、楕円Ｅの一部であって、右端から後端までの部分と、後切り込み２２の前端部とによって囲まれる領域を第４領域３４とする。
【００６９】
第４領域３４が、後述するように右掘削部１１Ｒの下折り曲げ部１３となる部分である。
【００７０】
次いで、ベース板２０を図示しない金型によってプレス加工する。
【００７１】
すると、図６および図７に示すように、ベース板２０から掘削羽根３が製造される。
【００７２】
このとき、第１領域３１が、円Ｃ２に沿う部分を折り目として下方に折り曲げられ、第２領域３２が、円Ｃ２に沿う部分を折り目として上方に折り曲げられ、第３領域３３が、円Ｃ２に沿う部分を折り目として上方に折り曲げられ、第４領域３４が、円Ｃ２に沿う部分を折り目として下方に折り曲げられる。
【００７３】
これにより、第１領域３１が左掘削部１１Ｌの下折り曲げ部１３として形成され、第２領域３２が左掘削部１１Ｌの上折り曲げ部１２として形成され、第３領域３３が右掘削部１１Ｒの上折り曲げ部１２として形成され、第４領域３４が右掘削部１１Ｒの下折り曲げ部１３として形成される。ベース板２０において円Ｃ２によって囲まれる領域が基部１０として形成される。
【００７４】
また、ベース板２０の左側部分であって、円Ｃ２、第１領域３１および第２領域３２を除く部分が、楕円Ｅに沿う部分を折り目として上折り曲げ部１２および下折り曲げ部１３から基部１０の径方向外方に延びるように折り曲げられ、ベース板２０の右側部分であって、円Ｃ２、第３領域３３および第４領域３４を除く部分が、楕円Ｅに沿う部分を折り目として上折り曲げ部１２および下折り曲げ部１３から基部１０の径方向外方に延びるように折り曲げられる。
【００７５】
このように、ベース板２０がプレス加工により折り曲げられると、平面視において、ベース板２０の外縁が前後方向内方に移動し、ベース板２０の外縁と円Ｃ１とが一致する。
【００７６】
これにより、ベース板２０の左側部分であって、円Ｃ２、第１領域３１および第２領域３２を除く部分が左側（一方）の羽根部１４として形成され、ベース板２０の右側部分であって、円Ｃ２、第３領域３３および第４領域３４を除く部分が右側（他方）の羽根部１４として形成される。
【００７７】
このようにして、ベース板２０の左側部分であって、円Ｃ２を除く部分が左掘削部１１Ｌとして形成され、ベース板２０の右側部分であって、円Ｃ２を除く部分が右掘削部１１Ｒとして形成される。
３．鋼管杭の製造
以下では、図７を参照して、鋼管杭１の製造方法について説明する。
【００７８】
鋼管杭１を製造する際は、杭本体２、掘削羽根３および先端部材４を別々に用意する。そして、図７に示すように、掘削羽根３を、基部１０が水平面上に位置するように保持する。
【００７９】
そして、杭本体２の軸線と基部１０の軸線とが一致するように、杭本体２を掘削羽根３の上方に保持する。
【００８０】
次いで、杭本体２を下方に移動させ、杭本体２の下端縁と掘削羽根３の基部１０の上端面とを密接させる。
【００８１】
このとき、杭本体２の下端縁の外周縁と上折り曲げ部１２との間、および、杭本体２の下端縁の外周縁と下折り曲げ部１３との間には、平面視略円環形状の一定の隙間が設けられている。
【００８２】
その後、杭本体２の下端縁と基部１０の上端面との接触部分を溶接し、杭本体２を基部１０に対して固定する。
【００８３】
また、先端部材４を、下方に向かって先細る状態であって、上下方向に投影したときにその上端縁が基部１０の直径と重なる状態となるように、杭本体２の下方に保持する。
【００８４】
そして、先端部材４を上方に移動させ、先端部材４の上端縁と掘削羽根３の基部１０の下端面とを密接させる。
【００８５】
次いで、先端部材４の上端縁と基部１０の下端面との接触部分を溶接し、先端部材４を基部１０に対して固定する。
【００８６】
これにより、図２に示すように、鋼管杭１が製造される。
４．鋼管杭の埋設
図２に示すように、鋼管杭１を埋設する際は、杭本体２が上下方向に沿うようにして鋼管杭１を仮想線で示す地面Ｇの上方に保持する。そして、鋼管杭１を下方に移動させ、先端部材４を地面Ｇに接地させる。また、鋼管杭１を仮想線で示すＡ方向に回転させるとともに、鋼管杭１に下方に向かう圧力を加える。すなわち、鋼管杭１を地面Ｇに回転圧入させる。これにより、掘削羽根３により地面Ｇが効率良く掘削されるとともに、鋼管杭１全体が掘削羽根３により地面Ｇに埋設される。
５．作用効果
（１）この鋼管杭１によれば、図２に示すように、羽根部１４は、基部１０を備えている。
【００８７】
そのため、杭本体２に対して基部１０を取り付けるのみで、杭本体２に対して掘削羽根３を容易に取り付けることができる。
【００８８】
その結果、容易に鋼管杭１を製造することができる。
【００８９】
また、羽根部１４は、軸線方向および径方向の両方と交差する方向に延びている。
【００９０】
そのため、基部１０を杭本体２に取り付けるのみで、羽根部１４を杭本体２に対して傾斜させた状態を容易に保つことができる。
【００９１】
その結果、掘削羽根３により効率的に地面を掘削できる。
【００９２】
また、上折り曲げ部１２は、基部１０の周方向の平面視時計回りにおける先端部分（一方側端部）が長く、後端部分（他方側端部）に向かうにつれて上下方向の長さが短くなるように形成されている。
【００９３】
そのため、掘削羽根３をプレス加工により容易に製造することができる。
（２）また、図３に示すように、上折り曲げ部１２と下折り曲げ部１３とが、羽根部１４の周方向の平面視時計周りにおける先端（他端）から後端（一端）にわたって形成され、下折り曲げ部１３が、基部１０に対して下方側（軸線方向の一方側）に折り曲げられ、上折り曲げ部１２が、基部１０に対して上方側（軸線方向の他方側）に折り曲げられる。
【００９４】
そのため、羽根部１４が杭本体２に対して傾斜する状態を安定的に保つことができる。
【００９５】
また、下折り曲げ部１３は、羽根部１４の周方向の平面視時計回りにおける後端（一端）から中央に向かうにつれて基部１０に近接し、上折り曲げ部１２は、羽根部１４の周方向の平面視時計回りにおける先端（他端）から中央に向かうにつれて基部１０に近接している。
【００９６】
そのため、掘削羽根３をプレス加工により容易に製造することができる。
（３）また、鋼管杭１は、略半円環形状の羽根部１４を２つ備え、羽根部１４の一方は、基部１０の左方の周方向略１８０度部分（基部１０の外周縁の一方側）に連続し、羽根部１４の他方は、基部１０の左方の周方向略１８０度部分（基部１０の外周縁の他方側）に連続する。
【００９７】
そのため、鋼管杭１により地面を掘削する際に、２つの羽根部１４により効率良く掘削できる。
【００９８】
また、羽根部１４の一方が位置する平面が、羽根部１４の他方が位置する平面と交差する。
【００９９】
その結果、地面を掘削する際に、羽根部１４により一層効率良く掘削できる。
６．第２実施形態
図８〜図１１を参照して、本発明の鋼管杭の第２実施形態について説明する。なお、以下の説明において、上記第１実施形態と同様の部材には同様の符号を付し、その説明を省略する。
（１）掘削羽根
上記第１実施形態では、掘削羽根３において、１対の掘削部１１のそれぞれは、上折り曲げ部１２と下折り曲げ部１３とを備えている。
【０１００】
対して、第２実施形態では、図８および図９に示すように、掘削羽根３において、１対の掘削部１１のそれぞれは、第２傾斜部の一例としての上傾斜部４１と、第１傾斜部の一例としての下傾斜部４２とを備えている。
【０１０１】
すなわち、第２実施形態では、掘削羽根３の１対の掘削部１１のそれぞれは、上折り曲げ部１２に代えて上傾斜部４１を備えており、また、下折り曲げ部１３に代えて下傾斜部４２を備えている。
（１−１）上傾斜部
図９に示すように、左掘削部１１Ｌの上傾斜部４１は、基部１０の外周面であって、左端から周方向において後方略９０度部分に連続し、右掘削部１１Ｒの上傾斜部４１は、基部１０の外周面であって、右端から周方向において前方略９０度部分に連続している。
【０１０２】
図８に示すように、上傾斜部４１は、基部１０に対して上方側に配置されており、図８および図９に示すように、基部１０の外周面、換言すれば、基部１０の径方向の外方側端縁から、上方に向かうに従って径方向の外方側に延びるように傾斜している。換言すれば、上傾斜部４１は、基部１０の径方向の外方側端縁から、上下方向において基部１０から離間するに従って径方向の外方側に延びるように傾斜している。
【０１０３】
図１０に示すように、基部１０を含む水平面Ｈと上傾斜部４１とのなす角度θ１は、左掘削部１１Ｌにおいては、上傾斜部４１の後端部において最も大きく、上傾斜部４１の後端部から周方向において左側へ離間するに従って小さくなっており、また、右掘削部１１Ｒにおいては、上傾斜部４１の前端部において最も大きく、上傾斜部４１の前端部から周方向において右側へ離間するに従って小さくなっている。なお、左掘削部１１Ｌにおける上傾斜部４１の後端部、および、右掘削部１１Ｒにおける上傾斜部４１の前端部は、周方向における上傾斜部４１の一方側端部である。
（１−２）下傾斜部
図９に示すように、左掘削部１１Ｌの下傾斜部４２は、基部１０の外周面であって、左端から周方向において前方略９０度部分に連続し、右掘削部１１Ｒの下傾斜部４２は、基部１０の外周面であって、右端から周方向において後方略９０度部分に連続している。
【０１０４】
図８に示すように、下傾斜部４２は、基部１０に対して下方側に配置されており、図８および図９に示すように、基部１０の外周面、換言すれば、基部１０の径方向の外方側端縁から、下方に向かうに従って径方向の外方側に延びるように傾斜している。換言すれば、下傾斜部４２は、基部１０の径方向の外方側端縁から、上下方向において基部１０から離間するに従って径方向の外方側に延びるように傾斜している。
【０１０５】
図１０に示すように、基部１０を含む平面Ｈと下傾斜部４２とのなす角度θ２は、左掘削部１１Ｌにおいては、下傾斜部４２の前端部において最も大きく、下傾斜部４２の前端部から周方向において左側へ離間するに従って小さくなっており、また、右掘削部１１Ｒにおいては、下傾斜部４２の後端部において最も大きく、下傾斜部４２の後端部から周方向において右側へ離間するに従って小さくなっている。なお、左掘削部１１Ｌにおける下傾斜部４２の前端部、および、右掘削部１１Ｒにおける下傾斜部４２の後端部は、周方向における上傾斜部４１の一方側端部である。
【０１０６】
そして、図９に示すように、左掘削部１１Ｌにおいては、上傾斜部４１の前端部と下傾斜部４２の後端部が連続している。また、右掘削部１１Ｒにおいては、上傾斜部４１の後端部と下傾斜部４２の前端部が連続している。これらの上傾斜部４１と下傾斜部４２との連続部分は、水平面Ｈに沿っている。
（１−３）羽根部
図９に示すように、羽根部１４は、上傾斜部４１の径方向外方側端縁、および、下傾斜部４２の径方向外方側端縁に連続しており、さらに径方向外方側に延びている。
【０１０７】
そして、図８および図９に示すように、上傾斜部４１の径方向外方側端縁は、左掘削部１１Ｌにおいては、羽根部１４の後端部から周方向に沿って左側に向かうに従って下方側に向かっており、右掘削部１１Ｒにおいては、羽根部１４の前端部から周方向に沿って右側に向かうに従って下方側に向かっている。また、下傾斜部４２の径方向外方側端縁は、左掘削部１１Ｌにおいては、羽根部１４の前端部から周方向に沿って左側に向かうに従って上方側に向かっており、右掘削部１１Ｒにおいては、羽根部１４の後端部から周方向に沿って右側に向かうに従って上方側に向かっている。なお、左掘削部１１Ｌの羽根部１４においては、前端部が一端であり、後端部が他端である。また、右掘削部１１Ｒの羽根部１４においては、後端部が一端であり、前端部が他端である。
（２）掘削羽根の製造
掘削羽根３の製造においては、図１１に示すように、まず、ベース板２０を準備する。
【０１０８】
ベース板２０において、円Ｃ１と円Ｃ２との間に位置し、これらの円と中心を同一にする楕円を楕円Ｆとする。楕円Ｆは、長軸が前後方向に沿っており、短軸が左右方向に沿っている。具体的には、楕円Ｆの長軸の長さは、円Ｃ２の直径よりも長く、円Ｃ１の直径よりも短い。また、楕円Ｆの短軸の長さは、円Ｃ２の直径よりも長く、円Ｃ１の直径よりも短い。楕円Ｆの前端は、前切り込み２１の後端部と重なり、楕円Ｆの後端は、後切り込み２２の前端部と重なる。楕円Ｆと円Ｃ２との間には複数の領域が形成される。
【０１０９】
すなわち、円Ｃ２における左端から前端までの部分と、楕円Ｆの左端から前端までの部分と、前切り込み２１の後端部と、楕円Ｆの中心を通る左右方向に延びる直線Ｇとによって囲まれる領域を第１領域５１とする。
【０１１０】
第１領域５１が、左掘削部１１Ｌの下傾斜部４２となる部分である。
【０１１１】
また、円Ｃ２における左端から後端までの部分と、楕円Ｆの左端から後端までの部分と、後切り込み２２の前端部と、直線Ｇとによって囲まれる領域を第２領域５２とする。
【０１１２】
第２領域５２が、左掘削部１１Ｌの上傾斜部４１となる部分である。
【０１１３】
また、円Ｃ２における右端から前端までの部分と、楕円Ｆの右端から前端までの部分と、前切り込み２１の後端部と、直線Ｇとによって囲まれる領域を第３領域５３とする。
【０１１４】
第３領域５３が、右掘削部１１Ｒの上傾斜部４１となる部分である。
【０１１５】
また、円Ｃ２における右端から後端までの部分と、楕円Ｆの右端から後端までの部分と、後切り込み２２の前端部と、直線Ｇとによって囲まれる領域を第４領域５４とする。
【０１１６】
第４領域５４が、右掘削部１１Ｒの下傾斜部４２となる部分である。
【０１１７】
そして、ベース板２０を図示しない金型によってプレス加工する。
【０１１８】
すると、図８および図９に示すように、ベース板２０から掘削羽根３が製造される。
【０１１９】
このとき、第１領域５１が、円Ｃ２に沿う部分を折り目として前下方に向かって傾斜するように折り曲げられ、第２領域５２が、円Ｃ２に沿う部分を折り目として後上方に向かって傾斜するように折り曲げられ、第３領域５３が、円Ｃ２に沿う部分を折り目として前上方に向かって傾斜するように折り曲げられ、第４領域５４が、円Ｃ２に沿う部分を折り目として後下方に向かって傾斜するように折り曲げられる。
【０１２０】
これにより、第１領域５１が左掘削部１１Ｌの下傾斜部４２として形成され、第２領域５２が左掘削部１１Ｌの上傾斜部４１として形成され、第３領域５３が右掘削部１１Ｒの上傾斜部４１として形成され、第４領域５４が右掘削部１１Ｒの下傾斜部４２として形成される。
（３）第２実施形態の作用効果
（３−１）第２実施形態の鋼管杭１によれば、図１０に示すように、基部１０を含む水平面Ｈと上傾斜部４１とのなす角度θ１は、左掘削部１１Ｌにおいては、上傾斜部４１の後端部において最も大きく、上傾斜部４１の後端部から周方向において左側へ離間するに従って小さくなっており、また、右掘削部１１Ｒにおいては、上傾斜部４１の前端部において最も大きく、上傾斜部４１の前端部から周方向において右側へ離間するに従って小さくなっている。また、基部１０を含む平面Ｈと下傾斜部４２とのなす角度θ２は、左掘削部１１Ｌにおいては、下傾斜部４２の前端部において最も大きく、下傾斜部４２の前端部から周方向において左側へ離間するに従って小さくなっており、また、右掘削部１１Ｒにおいては、下傾斜部４２の後端部において最も大きく、下傾斜部４２の後端部から周方向において右側へ離間するに従って小さくなっている。
【０１２１】
そのため、掘削羽根３をプレス加工により容易に製造することができる。
（３−２）また、掘削羽根３においては、上傾斜部４１と下傾斜部４２とが、羽根部１４の一端から他端にわたって形成され、上傾斜部４１が、基部１０に対して上方側に配置され、下傾斜部４２が、下方側に配置される。
【０１２２】
そのため、羽根部１４が杭本体２に対して傾斜する状態を安定的に保つことができる。
【０１２３】
また、上傾斜部４１の径方向外方側端縁は、左掘削部１１Ｌにおいては、羽根部１４の後端部から周方向に沿って左側に向かうに従って下方側に向かっており、右掘削部１１Ｒにおいては、羽根部１４の前端部から周方向に沿って右側に向かうに従って下方側に向かっている。また、下傾斜部４２の径方向外方側端縁は、左掘削部１１Ｌにおいては、羽根部１４の前端部から周方向に沿って左側に向かうに従って上方側に向かっており、右掘削部１１Ｒにおいては、羽根部１４の後端部から周方向に沿って右側に向かうに従って上方側に向かっている。
【０１２４】
そのため、掘削羽根３をプレス加工により容易に製造することができる。
【０１２５】
また、第２実施形態の鋼管杭１によれば、第１実施形態と同様の作用効果を得ることができる。
７．その他の変形例
上記の説明においては、掘削羽根３において掘削部１１が２つ設けられるとしたが、掘削羽根３において掘削部１１が１つ設けられてもよい。
【０１２６】
このような構成によれば、掘削羽根３を一層容易に製造できる。
【０１２７】
また、掘削羽根３において掘削部１１が３つ以上設けられてもよい。
【０１２８】
このような構成によれば、地面を掘削する際に、３つ以上の掘削部１１により一層効率良く掘削できる。
【０１２９】
また、第１実施形態においては、掘削部１１は、上折り曲げ部１２および下折り曲げ部１３を備えるとしたが、掘削部１１は、上折り曲げ部１２のみを備えてもよい。また、掘削部１１は、下折り曲げ部１３のみを備えてもよい。同様に、第２実施形態においては、掘削部１１は、上傾斜部４１および下傾斜部４２を備えるとしたが、掘削部１１は、上傾斜部４１のみを備えてもよい。また、掘削部１１は、下傾斜部４２のみを備えてもよい。
【０１３０】
このような構成によれば、掘削羽根３を一層容易に製造できる。
【０１３１】
また、第１実施形態において、掘削部１１は、上折り曲げ部１２の上端から下折り曲げ部１３の下端までのいずれかの部分に連続し、杭本体２の径方向外方であって、水平方向に延びる水平部を備えてもよい。同様に、第２実施形態において、掘削部１１は、上傾斜部４１の径方向外側端縁から下傾斜部４２の径方向外側端縁までのいずれかの部分に連続し、杭本体２の径方向外方であって、水平方向に延びる水平部を備えてもよい。このとき、水平部は、杭本体２の周方向に沿って、羽根部１４に連続していることが好ましい。
【０１３２】
このような構成によれば、掘削部１１を自由度の高い構成にすることができる。
【０１３３】
また、羽根部１４は、杭本体２の周方向における一端側が、水平方向に対して大きい角度で傾斜してもよい。すなわち、羽根部１４は、杭本体２の周方向の平面視時計まわりにおける後端側が、水平方向に対して大きい角度で傾斜してもよい。
【０１３４】
このような構成によれば、地面を掘削する際に、羽根部１４により一層効率良く掘削できる。
【０１３５】
また、上記の説明においては、平面視略楕円形状のベース板２０をプレス加工することにより、掘削羽根３を製造するとしたが、平面視略矩形状のベース板を用意し、そのベース板を上記の説明のようにプレス加工し、その後、そのベース板が平面視略円形状となるようにレーザ加工して掘削羽根３を製造してもよい。
【０１３６】
このような方法によれば、掘削羽根３を精度よく製造できる。
【符号の説明】
【０１３７】
１      鋼管杭
２      杭本体
３      掘削羽根
１０    基部
１１    掘削部
１２    上折り曲げ部
１３    下折り曲げ部
１４    羽根部
【図１】
2015063883.tif 000003
【図２】
2015063883.tif 000004
【図３】
2015063883.tif 000005
【図４】
2015063883.tif 000006
【図５】
2015063883.tif 000007
【図６】
2015063883.tif 000008
【図７】
2015063883.tif 000009
【図８】
2015063883.tif 000010
【図９】
2015063883.tif 000011
【図１０】
2015063883.tif 000012
【図１１】
2015063883.tif 000013